(57)【要約】【課題】カールさせておくことなく、平面に当接した状態から容易に摘み取る。【解決手段】シート基材１１の一方の面に熱エネルギーによって情報の表示及び消去が可能な感熱記録層１２が積層された表面シート１０と、表面シート１０の感熱記録層１２が積層された面とは反対側の面に積層された裏面シート２０とを有し、裏面シート２０は、表面シート１０が積層された面とは反対側の面に溝２１が形成されている。【選択図】図１
2010230818.tif 000002
【特許請求の範囲】
【請求項１】
シート基材の一方の面に熱エネルギーによって情報の表示及び消去が可能な感熱記録層が積層された表面シートと、該表面シートの前記感熱記録層が積層された面とは反対側の面に積層された裏面シートとを有してなる情報表示媒体において、
前記裏面シートは、前記表面シートが積層された面とは反対側の面に、凹部または凸部が加工形成されていることを特徴とする情報表示媒体。
【請求項２】
請求項１に記載の情報表示媒体において、
前記裏面シートは、前記表面シートが積層された面とは反対側の面に溝が前記凹部として形成されている情報表示媒体。
【請求項３】
請求項１に記載の情報表示媒体において、
前記裏面シートは、前記表面シートが積層された面とは反対側の面に、所定の間隔を介して対向した複数の凸部が形成されている情報表示媒体。
【請求項４】
請求項１に記載の情報表示媒体において、
前記裏面シートは、前記表面シートが積層された面とは反対側の面にエンボス状の突起が前記凸部として形成されている情報表示媒体。
【発明の詳細な説明】
【技術分野】
【０００１】
本発明は、熱エネルギーによって情報の表示及び消去が可能な情報表示媒体に関する。
【背景技術】
【０００２】
近年、ポイントカード等の情報表示媒体において、熱エネルギーによって情報の書き換えが可能に構成されたものが用いられている。このような熱エネルギーによって情報の書き換えが可能な情報表示媒体においては、シート基材の一方の面に、熱エネルギーによって情報の表示及び消去が可能な感熱記録層が積層され、この感熱記録層に対して熱エネルギーが与えられることにより、シート基材上に情報が表示されたり、シート基材上に表示されていた情報が消去されたりする。
【０００３】
このように熱エネルギーによって情報の表示及び消去が可能な情報表示媒体においては、上述したようなポイントカードに用いられる以外に、製品を製造する工場等において製品の生産・出荷管理に用いられている。
【０００４】
図７は、熱エネルギーによって情報の表示及び消去が可能な情報表示媒体であるリライトカードが製品の生産・出荷管理に用いられる様子を説明するための図であり、（ａ）はリライトカードがパレットに取り付けられた状態を示す外観斜視図、（ｂ）は（ａ）に示した矢印Ａ方向から見た図である。
【０００５】
熱エネルギーによって情報の表示及び消去が可能なリライトカード３０１を製品の生産・出荷管理に用いる場合は、例えば、図７（ａ）に示すように、生産・出荷管理が行われる製品が収納されるパレット３０２に取り付けられて使用される。リライトカード３０１には、取り付けられるパレット３０２に収納された製品の名称やロット番号等がその表面に表示されており、図７（ｂ）に示すように、パレット３０２に設けられた爪部３０３によってパレット３０２に押し付けられるようにして固定される。このようにしてパレット３０２に取り付けられたリライトカード３０１は、そのパレット３０２に収納された製品について所定の処理が行われたり、そのパレット３０２に収納された製品が出荷されたりした後、パレット３０２から取り外され、表面に表示された製品の名称やロット番号等が消去され、次に取り付けられるパレット３０２に収納された製品の名称やロット番号等に書き換えられる。
【０００６】
ここで、上述したようにパレット３０２に取り付けられたリライトカード３０１は、そのパレット３０２に収納された製品について所定の処理が行われたり、そのパレット３０２に収納された製品が出荷されたりした後、パレット３０２から取り外されることになるが、リライトカード３０１は爪部３０３によってパレット３０２の側壁に押し付けられるようにして固定されているため、パレット３０２の側壁との間に空間がなく、リライトカード３０１がパレット３０２の側壁に密着している。そのため、リライトカード３０１をパレット３０２から取り外しにくくなっている。特に、リライトカード３０１のサイズが、一般的なカード形状である５４ｍｍ×８５．６ｍｍではなく、これよりも大きな、例えば、８５ｍｍ×１８５ｍｍや、８５ｍｍ×２００ｍｍであったり、Ａ６サイズであったりした場合、その大きさが、人間の手の大きさと同等あるいは人間の手の大きさよりも大きくなるので、さらに取り外しにくくなってしまう。
【０００７】
そこで、リライトカード３０１の表面に凹凸等を形成し、この凹凸を利用してリライトカード３０１をパレット３０２から取り外すことが考えられるが、リライトカード３０１の表面には感圧記録層が積層されているため、その表面に凹凸等を形成することは好ましくない。
【０００８】
ここで、リライト表示媒体の端部をカールすることにより、このリライト表示媒体を平面に当接させた場合であっても容易に摘み取ることができるようにした技術が特許文献１に開示されている。そこで、このような技術を用いて、上記のようにパレット３０２に取り付けられたリライトカード３０１の端部をカールさせておくことにより、パレット３０２の側壁に当接したリライトカード３０１を容易に取り外すことができるようになる。
【先行技術文献】
【特許文献】
【０００９】
【特許文献１】特開２００８−１５５４９６号公報
【発明の概要】
【発明が解決しようとする課題】
【００１０】
しかしながら、上述したようにリライト表示媒体の端部をカールさせておくものにおいては、リライト表示媒体の端部がカールしていることにより、熱エネルギーによって情報を表示する際、感熱記録層に熱エネルギーを与えるためのサーマルヘッドとリライト表示媒体との間隔が、リライト表示媒体の端部とそれ以外の領域とで異なることとなり、それにより、情報が明瞭に表示されなくなってしまう虞れがある。
【００１１】
本発明は、上述したような従来の技術が有する問題点に鑑みてなされたものであって、カールさせておくことなく、平面に当接した状態から容易に摘み取ることができる情報表示媒体を提供することを目的とする。
【課題を解決するための手段】
【００１２】
上記目的を達成するために本発明は、
シート基材の一方の面に熱エネルギーによって情報の表示及び消去が可能な感熱記録層が積層された表面シートと、該表面シートの前記感熱記録層が積層された面とは反対側の面に積層された裏面シートとを有してなる情報表示媒体において、
前記裏面シートは、前記表面シートが積層された面とは反対側の面に、凹部または凸部が加工形成されていることを特徴とする。
【００１３】
上記のように構成された本発明においては、シート基材の一方の面に熱エネルギーによって情報の表示及び消去が可能な感熱記録層が積層された表面シートの感熱記録層が積層された面とは反対側の面に積層された裏面シートには、表面シートが積層された面とは反対側の面に、凹部または凸部が加工形成されているので、この裏面シート側を当接面として平面に当接している状態においては、裏面シートの凹部または凸部によって裏面シートの一部と平面との間に空間が生じている。そのため、この情報表示媒体は、当接している平面に密着しておらず、平面と裏面シートとの摩擦力が小さくなり、情報表示媒体を平面に当接した状態から容易に摘み取ることができるようになる。
【００１４】
また、裏面シートの表面シートが積層された面とは反対側の面に溝が凹部として形成される場合は、この溝によって裏面シートの厚さが薄くなる部分が生じ、それにより、情報表示媒体が撓みやすくなり、情報表示媒体が平面に当接した状態において、情報表示媒体を撓ませることによって情報表示媒体をさらに容易に摘み取ることができるようになる。
【００１５】
また、裏面シートの表面シートが積層された面とは反対側の面に、所定の間隔を介して対向した複数の凸部が形成されている場合は、裏面シートが平面に当接した状態においてこの複数の凸部間の領域を表面シート側から押すと、凸部が形成された領域が平面から浮き上がり、情報表示媒体をさらに容易に摘み取ることができるようになる。
【００１６】
また、裏面シートの表面シートが積層された面とは反対側の面にエンボス状の突起が凸部として形成されている場合は、この突起によって平面と裏面シートとの間に生じた空間に指等を挿入することによって、情報表示媒体をさらに容易に摘み取ることができるようになる。
【発明の効果】
【００１７】
以上説明したように本発明においては、シート基材の一方の面に熱エネルギーによって情報の表示及び消去が可能な感熱記録層が積層された表面シートと、表面シートの感熱記録層が積層された面とは反対側の面に積層された裏面シートとを有してなる情報表示媒体において、裏面シートが、表面シートが積層された面とは反対側の面に、凹部または凸部が加工形成されている構成としたため、この裏面シート側を当接面として平面に当接している状態においては、裏面シートの凹部または凸部によって裏面シートの一部と平面との間に空間が生じ、それにより、この情報表示媒体が当接している平面と密着しておらず、平面と裏面シートとの摩擦力が小さくなり、情報表示媒体を平面に当接した状態から容易に摘み取ることができる。
【００１８】
また、裏面シートの表面シートが積層された面とは反対側の面に溝が凹部として形成されているものにおいては、この溝によって裏面シートの厚さが薄くなる部分が生じ、それにより、情報表示媒体が撓みやすくなり、情報表示媒体が平面に当接した状態において、情報表示媒体を撓ませることによって情報表示媒体をさらに容易に摘み取ることができる。
【００１９】
また、裏面シートの表面シートが積層された面とは反対側の面に、所定の間隔を介して対向した複数の凸部が形成されているものにおいては、裏面シートが平面に当接した状態においてこの複数の凸部間の領域を表面シート側から押すと、凸部が形成された領域が平面から浮き上がり、情報表示媒体をさらに容易に摘み取ることができる。
【００２０】
また、裏面シートの表面シートが積層された面とは反対側の面にエンボス状の突起が凸部として形成されているものにおいては、この突起によって平面と裏面シートとの間に生じた空間に指等を挿入することによって、情報表示媒体をさらに容易に摘み取ることができる。
【図面の簡単な説明】
【００２１】
【図１】本発明の情報表示媒体の第１の実施の形態を示す図であり、（ａ）は表面図、（ｂ）は（ａ）に示したＡ−Ａ’断面図、（ｃ）は裏面図、（ｄ）は（ｃ）に示したＢ−Ｂ’断面図である。
【図２】図１に示したリライトＲＦＩＤカードの作用を説明するための図であり、（ａ）は図１に示したリライトＲＦＩＤカードがパレットに取り付けられた状態を示す外観斜視図、（ｂ）は（ａ）に示した矢印Ａ方向から見た図、（ｃ）は（ａ）に示した状態からのリライトＲＦＩＤカードの取り外し方を示す外観斜視図、（ｄ）は（ｃ）に示した矢印Ａ方向から見た図である。
【図３】本発明の情報表示媒体の第２の実施の形態を示す図であり、（ａ）は表面図、（ｂ）は（ａ）に示したＡ−Ａ’断面図、（ｃ）は裏面図、（ｄ）は（ｃ）に示したＢ−Ｂ’断面図である。
【図４】図３に示したリライトＲＦＩＤカードの作用を説明するための図であり、（ａ）は図３に示したリライトＲＦＩＤカードがパレットに取り付けられた状態を示す外観斜視図、（ｂ）は（ａ）に示した矢印Ａ方向から見た図、（ｃ）は（ａ）に示した状態からのリライトＲＦＩＤカードの取り外し方を示す外観斜視図、（ｄ）は（ｃ）に示した矢印Ａ方向から見た図である。
【図５】本発明の情報表示媒体の第３の実施の形態を示す図であり、（ａ）は表面図、（ｂ）は（ａ）に示したＡ−Ａ’断面図、（ｃ）は裏面図、（ｄ）は（ｃ）に示したＢ−Ｂ’断面図である。
【図６】図５に示したリライトＲＦＩＤカードの作用を説明するための図であり、（ａ）は図５に示したリライトＲＦＩＤカードがパレットに取り付けられた状態を示す外観斜視図、（ｂ）は（ａ）に示した矢印Ａ方向から見た図、（ｃ）は（ａ）に示した状態からのリライトＲＦＩＤカードの取り外し方を示す外観斜視図、（ｄ）は（ｃ）に示した矢印Ａ方向から見た図である。
【図７】熱エネルギーによって情報の表示及び消去が可能な情報表示媒体であるリライトカードが製品の生産・出荷管理に用いられる様子を説明するための図であり、（ａ）はリライトカードがパレットに取り付けられた状態を示す外観斜視図、（ｂ）は（ａ）に示した矢印Ａ方向から見た図である。
【発明を実施するための形態】
【００２２】
以下に、本発明の実施の形態について図面を参照して説明する。
【００２３】
（第１の実施の形態）
図１は、本発明の情報表示媒体の第１の実施の形態を示す図であり、（ａ）は表面図、（ｂ）は（ａ）に示したＡ−Ａ’断面図、（ｃ）は裏面図、（ｄ）は（ｃ）に示したＢ−Ｂ’断面図である。
【００２４】
本形態は図１に示すように、ＰＥＴ等からなるシート基材１１の一方の面に感熱記録層１２が積層されてなる表面シート１０と、シート基材１１と同一のＰＥＴ等からなる裏面シート２０とが、表面シート１０の感熱記録層１２が積層されていない面が裏面シート２０に対向するように積層され、接着剤３０によって互いに接着されて構成されたリライトＲＦＩＤカード１である。感熱記録層１２は、例えば、リライト作用を持つ顕色剤とロイコ系染料とを含有し、１５０〜１８０℃の熱エネルギーがサーマルヘッド等によって与えられることにより顕色し、１３０〜１５０℃の熱エネルギーが与えられることにより退色するものを用いることができる。接着剤３０としては、様々なものを用いることができるが、例えば、２種類の接着剤を混合して使用することが考えられる。
【００２５】
裏面シート２０は、表面シート１０との接着面には、互いに直線状に並んだ帯状のアンテナ４２が形成されるとともに、このアンテナ４２に接続されるようにＩＣチップ４１が搭載されている。このように、アンテナ４２及びこれに接続されたＩＣチップ４１を有する構成とすることにより、このリライトＲＦＩＤカード１を、外部に設けられた情報書込／読出装置（不図示）に近接させることにより、情報書込／読出装置からの電波に共振してアンテナ４２に電流が流れ、この電流がＩＣチップ４１に供給され、それにより、非接触状態において、情報書込／読出装置からＩＣチップ４１に情報が書き込まれたり、ＩＣチップ４１に書き込まれた情報が情報書込／読出装置にて読み出されたりする。また、裏面シート２０の表面シート１０との接着面とは反対側の面には、凹部となる溝２１が格子状に形成されている。この溝２１は、例えば、裏面シート２０の表面シート１０との接着面とは反対側の面にレーザ光を照射して裏面シート２０を所定の深さだけ削ることによって形成することが考えられ、それにより、裏面シート２０の表面シート１０との接着面とは反対側の面に、溝２１が加工形成されることになる。
【００２６】
以下に、上記のように構成されたリライトＲＦＩＤカード１の作用について説明する。
【００２７】
図２は、図１に示したリライトＲＦＩＤカード１の作用を説明するための図であり、（ａ）は図１に示したリライトＲＦＩＤカード１がパレット２に取り付けられた状態を示す外観斜視図、（ｂ）は（ａ）に示した矢印Ａ方向から見た図、（ｃ）は（ａ）に示した状態からのリライトＲＦＩＤカード１の取り外し方を示す外観斜視図、（ｄ）は（ｃ）に示した矢印Ａ方向から見た図である。
【００２８】
図１に示したリライトＲＦＩＤカード１は、例えば、図２（ａ）に示すように、生産・出荷管理が行われる製品が収納されるパレット２に取り付けられて使用される。リライトＲＦＩＤカード１の表面シート１０には、取り付けられるパレット２に収納された製品の名称やロット番号等が感熱記録層１２によって消去可能に表示されており、図２（ｂ）に示すように、裏面シート２０がパレット２の側壁に対向するように、パレット２に設けられた爪部３に挟み込まれ、この爪部３よってパレット２の側壁に押し付けられて固定される。このようにしてパレット２に取り付けられたリライトＲＦＩＤカード１は、そのパレット２に収納された製品について所定の処理が行われたり、そのパレット２に収納された製品が出荷されたりした後、パレット２から取り外され、表面に表示された製品の名称やロット番号等が消去され、次に取り付けられるパレット２に収納された製品の名称やロット番号等に書き換えられる。
【００２９】
上述したように、パレット２に取り付けられたリライトＲＦＩＤカード１は、爪部３よってパレット２の側壁に押し付けられて固定されているが、パレット２の側壁に対向する裏面シート２０には格子状に溝２１が形成されているため、図２（ｂ）に示すように、裏面シート２０の溝２１が形成された領域とパレット２の側壁との間に空間４が生じている。そのため、このリライトＲＦＩＤカード１は、パレット２の側壁に押し付けられて固定されているものの、裏面シート２０がパレット２の側壁に密着していない状態となっており、それにより、裏面シート２０のパレット２の側壁との摩擦力が小さくなり、リライトＲＦＩＤカード１をパレット２から容易に摘み取ることができるようになる。
【００３０】
また、本形態のリライトＲＦＩＤカード１においては、裏面シート２０に形成された溝２１によって裏面シート２０の厚さが薄くなる部分が生じている。裏面シート２０の厚さが薄くなる部分が生じると、リライトＲＦＩＤカード１全体においても厚さが薄くなる部分が生じ、それにより、リライトＲＦＩＤカード１が撓みやすくなる。そのため、図２（ｃ），（ｄ）に示すように、パレット２に固定されたリライトＲＦＩＤカード１の端部を指５で摘み、リライトＲＦＩＤカード１を撓ませることによって、リライトＲＦＩＤカード１をパレット２からさらに容易に摘み取ることができる。
【００３１】
（第２の実施の形態）
図３は、本発明の情報表示媒体の第２の実施の形態を示す図であり、（ａ）は表面図、（ｂ）は（ａ）に示したＡ−Ａ’断面図、（ｃ）は裏面図、（ｄ）は（ｃ）に示したＢ−Ｂ’断面図である。
【００３２】
本形態は図３に示すように、第１の実施の形態に示したものに対して、裏面シート１２０の表面シート１１０との接着面とは反対側の面に、裏面シート１２０の他の領域よりも盛り上がった２つの台地部１２１が凸部として形成されている点が異なるものである。この２つの台地部１２１はそれぞれ、裏面シート１２０の表面シート１１０との接着面とは反対側の面のうち互いに対向する端辺に沿う領域に形成されている。すなわち、この２つの台地部１２１は、裏面シート１２０の表面シート１１０との接着面とは反対側の面にて所定の間隔を介して対向している。この台地部１２１は、裏面シート１２０の表面シート１１０との接着面とは反対側の面のうち互いに対向する端辺に沿う領域にシルク印刷を施したり、裏面シート１２０を発泡樹脂から構成し、裏面シート１２０の表面シート１１０との接着面とは反対側の面のうちその領域にレーザ光を照射して裏面シート１２０を部分的に発泡させたりすることによって形成することが考えられ、それにより、裏面シート１２０の表面シート１１０との接着面とは反対側の面に、台地部１２１が加工形成されることになる。なお、本形態においては、裏面シート１２０の表面シート１１０との接着面とは反対側の面のうち互いに対向する端辺に沿う領域にそれぞれ台地部１２１が形成されているが、２つの台地部１２１は、裏面シート１２０の表面シート１１０との接着面とは反対側の面において、所定の間隔を介して対向して形成されていればよく、その数は２つに限らない。ただし、複数の台地部１２１の間隔は、後述するように、複数の台地部１２１に挟まれた領域を表面シート１１０側から押した場合に、台地部１２１が形成された領域が、当接していた平面からから浮き上がるために十分なものとする必要があり、シート基材１１１及び裏面シート１２０の材質及び大きさに基づいて設定される。
【００３３】
以下に、上記のように構成されたリライトＲＦＩＤカード１０１の作用について説明する。
【００３４】
図４は、図３に示したリライトＲＦＩＤカード１０１の作用を説明するための図であり、（ａ）は図３に示したリライトＲＦＩＤカード１０１がパレット１０２に取り付けられた状態を示す外観斜視図、（ｂ）は（ａ）に示した矢印Ａ方向から見た図、（ｃ）は（ａ）に示した状態からのリライトＲＦＩＤカード１０１の取り外し方を示す外観斜視図、（ｄ）は（ｃ）に示した矢印Ａ方向から見た図である。
【００３５】
図３に示したリライトＲＦＩＤカード１０１は、例えば、図４（ａ）に示すように、生産・出荷管理が行われる製品が収納されるパレット１０２に取り付けられて使用される。リライトＲＦＩＤカード１０１の表面シート１１０には、取り付けられるパレット１０２に収納された製品の名称やロット番号等が感熱記録層１１２によって消去可能に表示されており、図４（ｂ）に示すように、裏面シート１２０がパレット１０２の側壁に対向するように、パレット１０２に設けられた爪部１０３に挟み込まれ、この爪部１０３よってパレット１０２の側壁に押し付けられて固定される。このようにしてパレット１０２に取り付けられたリライトＲＦＩＤカード１０１は、そのパレット１０２に収納された製品について所定の処理が行われたり、そのパレット１０２に収納された製品が出荷されたりした後、パレット１０２から取り外され、表面に表示された製品の名称やロット番号等が消去され、次に取り付けられるパレット１０２に収納された製品の名称やロット番号等に書き換えられる。
【００３６】
上述したように、パレット１０２に取り付けられたリライトＲＦＩＤカード１０１は、爪部１０３よってパレット１０２の側壁に押し付けられて固定されているが、パレット１０２の側壁に対向する裏面シート１２０には、裏面シート１２０の他の領域よりも盛り上がった台地部１２１が形成されているため、図４（ｂ）に示すように、この台地部１２１以外の領域において、裏面シート１２０とパレット１０２の側壁との間に空間１０４が生じている。そのため、このリライトＲＦＩＤカード１０１は、パレット１０２の側壁に押し付けられて固定されているものの、裏面シート１２０がパレット１０２の側壁に密着していない状態となっており、それにより、裏面シート１２０のパレット１０２の側壁との摩擦力が小さくなり、リライトＲＦＩＤカード１０１をパレット１０２から容易に摘み取ることができるようになる。
【００３７】
また、本形態のリライトＲＦＩＤカード１０１においては、裏面シート１２０の表面シート１１０との接着面とは反対側の面に形成された台地部１２１が、裏面シート１２０の表面シート１１０との接着面とは反対側の面のうち互いに対向する端辺に沿う領域に形成されていることにより、台地部１２１がパレット１０２の側壁に当接した状態において、この２つの台地部１２１に挟まれた領域において、裏面シート１２０とパレット１０２の側壁との間に空間１０４が生じている。そこで、図４（ｃ）に示すように、裏面シート１２０の台地部１２１に挟まれた領域を表面シート１１０側から指１０５で押すと、図４（ｄ）に示すように、台地部１２１が形成された領域がパレット１０２の側壁から浮き上がり、リライトＲＦＩＤカード１０１をパレット１０２からさらに容易に摘み取ることができる。
【００３８】
（第３の実施の形態）
図５は、本発明の情報表示媒体の第３の実施の形態を示す図であり、（ａ）は表面図、（ｂ）は（ａ）に示したＡ−Ａ’断面図、（ｃ）は裏面図、（ｄ）は（ｃ）に示したＢ−Ｂ’断面図である。
【００３９】
本形態は図５に示すように、第１の実施の形態に示したものに対して、裏面シート２２０の表面シート２１０との接着面とは反対側の面に、エンボス状の複数の突起２２１が形成されている点が異なるものである。この突起２２１は、裏面シート２２０の表面シート２１０との接着面とは反対側の面にて行列状に形成されており、第２の実施の形態にて示した台地部１２１と同様に、シルク印刷を施したり、裏面シート２２０を発泡樹脂から構成し、裏面シート２２０の表面シート２１０との接着面とは反対側の面に部分的にレーザ光を照射して裏面シート２２０を発泡させたりすることによって形成することが考えられ、それにより、裏面シート２２０の表面シート２１０との接着面とは反対側の面に、突起２２１が加工形成されることになる。
【００４０】
以下に、上記のように構成されたリライトＲＦＩＤカード２０１の作用について説明する。
【００４１】
図６は、図５に示したリライトＲＦＩＤカード２０１の作用を説明するための図であり、（ａ）は図５に示したリライトＲＦＩＤカード２０１がパレット２０２に取り付けられた状態を示す外観斜視図、（ｂ）は（ａ）に示した矢印Ａ方向から見た図、（ｃ）は（ａ）に示した状態からのリライトＲＦＩＤカード２０１の取り外し方を示す外観斜視図、（ｄ）は（ｃ）に示した矢印Ａ方向から見た図である。
【００４２】
図５に示したリライトＲＦＩＤカード２０１は、例えば、図６（ａ）に示すように、生産・出荷管理が行われる製品が収納されるパレット２０２に取り付けられて使用される。リライトＲＦＩＤカード２０１の表面シート２１０には、取り付けられるパレット２０２に収納された製品の名称やロット番号等が感熱記録層２１２によって消去可能に表示されており、図６（ｂ）に示すように、裏面シート２２０がパレット２０２の側壁に対向するように、パレット２０２に設けられた爪部２０３に挟み込まれ、この爪部２０３よってパレット２０２の側壁に押し付けられて固定される。このようにしてパレット２０２に取り付けられたリライトＲＦＩＤカード２０１は、そのパレット２０２に収納された製品について所定の処理が行われたり、そのパレット２０２に収納された製品が出荷されたりした後、パレット２０２から取り外され、表面に表示された製品の名称やロット番号等が消去され、次に取り付けられるパレット２０２に収納された製品の名称やロット番号等に書き換えられる。
【００４３】
上述したように、パレット２０２に取り付けられたリライトＲＦＩＤカード２０１は、爪部２０３よってパレット２０２の側壁に押し付けられて固定されているが、パレット２０２の側壁に対向する裏面シート２２０には、エンボス状の複数の突起２２１が形成されているため、図６（ｂ）に示すように、この突起２２１によって、裏面シート２２０の突起２１１以外の領域とパレット２０２の側壁との間に空間２０４が生じている。そのため、このリライトＲＦＩＤカード２０１は、パレット２０２の側壁に押し付けられて固定されているものの、裏面シート２２０がパレット２０２の側壁に密着していない状態となっており、それにより、裏面シート２２０のパレット２０２の側壁との摩擦力が小さくなり、リライトＲＦＩＤカード２０１をパレット２０２から容易に摘み取ることができるようになる。
【００４４】
また、本形態のリライトＲＦＩＤカード２０１においては、裏面シート２１０に形成された凸部が複数のエンボス状の突起２２１であるため、図６（ｃ），（ｄ）に示すように、この突起２２１によってパレット２０２の側壁と裏面シート２２０との間に生じた空間に指２０５を挿入することによって、リライトＲＦＩＤカード２０１をパレット２０２からさらに容易に摘み取ることができる。
【００４５】
なお、上述した３つの実施の形態においては、裏面シート２０，１２０，２２０上にアンテナ４２，１４２，２４２が形成されるとともにＩＣチップ４１，１４１，２４１が搭載されたものを例に挙げて説明したが、本発明は、一方の面に感熱記録層１２，１１２，２１２を有する表面シート１０，１１０，２１０と裏面シート２０，１２０，２２０とが積層され、裏面シート２０，１２０，２２０に上述したような凹部または凸部が加工形成されているものであれば、アンテナ４２，１４２，２４２及びＩＣチップ４１，１４１，２４１を有さないものであってもよい。
【符号の説明】
【００４６】
１，１０１，２０１    リライトＲＦＩＤカード
２，１０２，２０２    パレット
３，１０３，２０３    爪
４，１０４，２０４    空間
５，１０５，２０５    指
１０，１１０，２１０    表面シート
１１，１１１，２１１    シート基材
１２，１１２，２１２    感熱記録層
２０，１２１，２２１    裏面シート
２１    溝
３０，１３０，２３０    接着剤
４１，１４１，２４１    ＩＣチップ
４２，１４２，２４２    アンテナ
１２１    台地部
２２１    突起
【図１】
2010230818.tif 000003
【図２】
2010230818.tif 000004
【図３】
2010230818.tif 000005
【図４】
2010230818.tif 000006
【図５】
2010230818.tif 000007
【図６】
2010230818.tif 000008
【図７】
2010230818.tif 000009